(57)【特許請求の範囲】
【請求項１】
互いに略同一形状である第１シート材と第２シート材とを重ね合わせ、それらの間に中空部を形成するように前記第１シート材及び前記第２シート材の外周側縁部どうしを互いに接合することで略扁平な袋体状に構成された布接合体を有する、グローブ型マスクであって、
前記布接合体のうち一方側に設けられ、前記中空部に使用者の片手を挿入するための開口部と、
前記布接合体のうち他方側に設けられ前記片手の５本の指のうち親指以外の４本の指が挿入される覆い部であって、前記覆い部に前記４本の指が挿入されて前記使用者の顔の前にかざされるかざし状態において、前記使用者の前記顔のうち少なくとも口及び鼻を覆うように構成された、覆い部と、
前記布接合体のうち前記覆い部から別方向に分岐するように設けられ前記片手の親指が挿入される把持部であって、前記把持部に挿入された前記親指を曲げることにより前記覆い部に挿入された前記４本の指との協働によって被把持物を把持可能に構成された把持部と、
前記布接合体の外部において、互いに分岐して別方向をそれぞれ向く前記把持部と前記覆い部との間に略Ｖ字状に形成される露出部であって、前記覆い部により前記使用者の前記口及び鼻が覆われた前記かざし状態において前記顔のうち片目を露出させるように構成された露出部と、
前記布接合体を構成する前記第１シート材及び前記第２シート材のうち前記かざし状態において前記顔に対面する側のシート材に設けられ、前記使用者の前記口からの呼気に含まれる飛散物の飛散を抑制する飛散抑制部と、
を有することを特徴とするグローブ型マスク。
【請求項２】
請求項１記載のグローブ型マスクにおいて、
前記開口部を介し前記中空部に前記使用者の左手が挿入され、前記かざし状態において前記露出部が前記使用者の左目を露出するように構成されるか、
若しくは、
前記開口部を介し前記中空部に前記使用者の右手が挿入され、前記かざし状態において前記露出部が前記使用者の右目を露出するように構成されている
ことを特徴とするグローブ型マスク。
【請求項３】
請求項１又は請求項２記載のグローブ型マスクにおいて、
前記飛散抑制部は、
前記顔に対面する側のシート材に設けられた吸湿処理部及び抗菌処理部のうち少なくとも一方を含む
ことを特徴とするグローブ型マスク。
【請求項４】
請求項３記載のグローブ型マスクにおいて、
前記飛散抑制部は、
前記顔に対面する側のシート材に、着脱可能に設けられる
ことを特徴とするグローブ型マスク。
【請求項５】
請求項１乃至請求項４のいずれか１項記載のグローブ型マスクにおいて、
前記布接合体のうち、前記開口部の縁部近傍でかつ前記把持部と反対側の部位に、吊り掛け具を設けた
ことを特徴とするグローブ型マスク。
【請求項６】
互いに略同一形状である第１シート材と第２シート材とを重ね合わせ、それらの間に中空部を形成するように前記第１シート材及び前記第２シート材の外周側縁部どうしを互いに接合することで略扁平な袋体状に構成された布接合体をそれぞれ有する、左手用のグローブ型マスク及び右手用のグローブ型マスクからなるグローブ型マスク体であって、
前記左手用のグローブ型マスク及び前記右手用のグローブ型マスクのそれぞれは、
前記布接合体のうち一方側に設けられ、前記中空部に使用者の手を挿入するための開口部と、
前記布接合体のうち他方側に設けられ前記手の５本の指のうち親指以外の４本の指が挿入される覆い部であって、前記覆い部に前記４本の指が挿入されて前記使用者の顔の前にかざされるかざし状態において、前記使用者の前記顔のうち少なくとも口及び鼻を覆うように構成された、覆い部と、
前記布接合体のうち前記覆い部から別方向に分岐するように設けられ前記手の親指が挿入される把持部であって、前記把持部に挿入された前記親指を曲げることにより前記覆い部に挿入された前記４本の指との協働によって被把持物を把持可能に構成された把持部と、
前記布接合体の外部において、互いに分岐して別方向をそれぞれ向く前記把持部と前記覆い部との間に略Ｖ字状に形成される露出部であって、前記覆い部により前記使用者の前記口及び鼻が覆われた前記かざし状態において前記顔のうち少なくとも片目を露出させるように構成された露出部と、
前記布接合体を構成する前記第１シート材及び前記第２シート材のうち前記かざし状態において前記顔に対面する側のシート材に設けられ、前記使用者の前記口からの呼気に含まれる飛散物の飛散を抑制する飛散抑制部と、
を有し、
前記左手用のグローブ型マスクは、
前記開口部を介し前記中空部に前記使用者の左手が挿入され、前記かざし状態において前記露出部が前記使用者の左目を露出するように構成されており、
前記右手用のグローブ型マスクは、
前記開口部を介し前記中空部に前記使用者の右手が挿入され、前記かざし状態において前記露出部が前記使用者の右目を露出するように構成されている
ことを特徴とするグローブ型マスク体。
【請求項７】
請求項６記載のグローブ型マスク体において、
前記左手用のグローブ型マスク及び前記右手用のグローブ型マスクを互いに着脱可能に連結する連結部をさらに有する
ことを特徴とするグローブ型マスク体。
【発明の詳細な説明】
【技術分野】
【０００１】
本発明は、グローブ型マスクおよびグローブ型マスク体に関する。
【背景技術】
【０００２】
従来、顔に装着できる立体不織布マスクが知られている（例えば、特許文献１参照）。この従来技術のマスクは、装着者の顔へのフィット性に優れ、ウイルス等に対するフィルタ効果を高めることができる。
【先行技術文献】
【特許文献】
【０００３】
【特許文献１】実用新案登録第３２２１０９５号公報
【発明の概要】
【発明が解決しようとする課題】
【０００４】
上記従来技術のマスクは、マスクに設けられた掛け紐を耳にかけて装着するものであるため、飲食時には飲み物や食べ物を口に運ぶためにマスクを外したままでいる必要があった。そのため飲食中は口からのウイルス等の飛散を防止することが困難であった。
【０００５】
本発明の目的は、複数人で飲食を楽しむ時において、ウイルス等の飛散防止のマスクとしての機能を維持しつつ、飲食時におけるグラスや食器の把持を行うことができるグローブ型マスクおよびグローブ型マスク体を提供することにある。
【課題を解決するための手段】
【０００６】
上記目的を達成するために、本願発明は、互いに略同一形状である第１シート材と第２シート材とを重ね合わせ、それらの間に中空部を形成するように前記第１シート材及び前記第２シート材の外周側縁部どうしを互いに接合することで略扁平な袋体状に構成された布接合体を有する、グローブ型マスクであって、前記布接合体のうち一方側に設けられ、前記中空部に使用者の片手を挿入するための開口部と、前記布接合体のうち他方側に設けられ前記片手の５本の指のうち親指以外の４本の指が挿入される覆い部であって、前記覆い部に前記４本の指が挿入されて前記使用者の顔の前にかざされるかざし状態において、前記使用者の前記顔のうち少なくとも口及び鼻を覆うように構成された、覆い部と、前記布接合体のうち前記覆い部から別方向に分岐するように設けられ前記片手の親指が挿入される把持部であって、前記把持部に挿入された前記親指を曲げることにより前記覆い部に挿入された前記４本の指との協働によって被把持物を把持可能に構成された把持部と、前記布接合体の外部において、互いに分岐して別方向をそれぞれ向く前記把持部と前記覆い部との間に略Ｖ字状に形成される露出部であって、前記覆い部により前記使用者の前記口及び鼻が覆われた前記かざし状態において前記顔のうち片目を露出させるように構成された露出部と、前記布接合体を構成する前記第１シート材及び前記第２シート材のうち前記かざし状態において前記顔に対面する側のシート材に設けられ、前記使用者の前記口からの呼気に含まれる飛散物の飛散を抑制する飛散抑制部と、を有することを特徴とする。
【０００７】
本願発明のグローブ型マスクにおいては、複数人で飲食を楽しむ時において、飛散防止のマスクとしての機能を維持しつつ、飲食時におけるグラスや食器の把持を行うことができる。
【０００８】
すなわち、友人又は知人等と飲食を楽しむ際における、飲み物を飲むタイミングや食べ物を口に運ぶタイミングでは一種の手袋として使用し、把持部に挿入した親指を曲げつつ、覆い部に挿入した４本の指との協働によって、グラスや食器等を把持することができる（把持状態）。一方、飲み物を飲むタイミングや食べ物を口に運ぶタイミング以外のタイミングでは一種のマスクとして使用し、覆い部を使用者の顔の前にかざし少なくとも口及び鼻を覆うようにする（かざし状態）。これにより、そのかざし状態で会話をしたとしても口からの飛散物の飛散を防止することができる。
【０００９】
飲食の際には、使用者がかざし状態と上記把持状態との素早い切り替えを繰り返すことで、飛散防止を図りつつ飲み物を飲む（又は食べ物を口に運ぶ）ことができ、飲食に支障をきたさない。これにより、通常のマスクを使用する場合のようにマスクが外しっぱなしになって飛散防止を全く図れなくなるのを防止し、確実な感染予防を図ることができる。
【発明の効果】
【００１０】
本発明によれば、複数人で飲食を楽しむ時において、ウイルス等の飛散防止のマスクとしての機能を維持しつつ、飲食時におけるグラスや食器の把持を行うことができる。
【図面の簡単な説明】
【００１１】
【図１】本発明の一実施形態によるグローブ型マスクを左手に装着して使用者の顔の前にかざしたかざし状態を表す斜視図である。図である。
【図２】本発明の一実施形態によるグローブ型マスクを右手に装着して使用者の顔の前にかざしたかざし状態を表す斜視図である。
【図３】本発明の一実施形態によるグローブ型マスク体を連結して使用者の顔の前にかざしたかざし状態を表す斜視図である。
【図４】飛散抑制部に吸湿処理部及び抗菌処理部のうち少なくとも一方を含む変形例によるグローブ型マスクの詳細構造を示す斜視図である。
【発明を実施するための形態】
【００１２】
以下、本発明の一実施形態を図面を参照して説明する。
図１に、本実施形態のグローブ型マスクを左手に装着して使用者の顔の前にかざしたかざし状態を示す。
【００１３】
グローブ型マスク１は互いに略同一形状である第１シート材と第２シート材とを重ね合わせ、それらの間に中空部を形成するように前記第１シート材及び前記第２シート材の外周側縁部どうしを互いに接合することで略扁平な袋体状に構成された布接合体を有する。第一シート材および第２シート材は、各種の布材や紙材により構成することができ、例えば縫製などによって接合されている。第一シート材および第２シート材はそれぞれ平面であってもよいし、完全な平面でなく中空部の構造に合わせて立体的な丸みを有していたり、シワなどを有した状態で接合されていてもよい。グローブ型マスク１は前記布接合体以外の紐やマジックテープ（登録商標）等をさらに備えていてもよい。なお、この図においては前記布接合体はグローブ型マスク１そのものの形状と一致する（ただし吊り掛け具７を除く）。
【００１４】
使用者Ｍは前記布接合体のうち手首側に設けられた開口部２を介して前記中空部に左手を挿入し、顔の前にかざしているかざし状態にある。使用者Ｍの左手の５本の指のうち親指以外の４本の指は、前記布接合体の覆い部３に挿入されている。覆い部３は、前記かざし状態において使用者Ｍの口、鼻及び右目を覆うように構成されている。
【００１５】
使用者Ｍの左手の親指は、前記布接合体の把持部４に挿入されている。把持部４は、前記布接合体のうち覆い部３から別方向に分岐するように設けられ、前記親指を曲げることにより覆い部３に挿入された前記４本の指との協働によってグラス、箸、フォークやスプーン等の被把持物を把持可能に構成されている。
【００１６】
露出部５は、前記布接合体の外部において、互いに分岐して別方向をそれぞれ向く把持部４と覆い部３との間に略Ｖ字状に形成される。露出部５は、前記かざし状態において使用者Ｍの左目を露出させるように構成されている。
【００１７】
飛散抑制部６は、グローブ型マスク１の前記布接合体を構成する前記第１シート材及び前記第２シート材のうち前記かざし状態において使用者Ｍの顔に対面する側のシート材に設けられ、前記使用者の前記口からの呼気に含まれる飛散物の飛散を抑制する。
【００１８】
飛散抑制部６の領域は、使用者Ｍの顔に対面する側のシート材の表面の全面であってもよく、シート材の任意の一部の領域であってもよい。この例では、使用者Ｍの顔に対面する側のシート材の略全表面を飛散抑制部６として図示している。飛散抑制部６は、前記シート材を未処理のまま用いることもできるし、前記シート材に抗菌処理、その他特殊加工等の処理を施してもよい。ガーゼ等の別の部材を飛散抑制部６として前記シート材に接合してもよい。
【００１９】
グローブ型マスク１は前記布接合体のうち、開口部２の縁部近傍でかつ把持部４と反対側の部位に、吊り掛け具７を備えてもよい。
【００２０】
図２に、本実施形態のグローブ型マスク１を右手に装着して使用者Ｍの顔の前にかざしたかざし状態を示す。開口部２を介して使用者Ｍの右手がグローブ型マスク１に備えられた布接合体の中空部に挿入されている。使用者Ｍの右手の親指が把持部４に挿入され、親指以外の４本の指が覆い部３に挿入され、覆い部３が使用者Ｍの鼻、口及び左目を覆っている。また、露出部５により、使用者Ｍの右目が露出されている。グローブ型マスク１の前記布接合体を構成する第１シート材と第２シート材のうち使用者Ｍの顔に対面する側の前記シート材の表面に飛散抑制部６が備えられている。
【００２１】
図３に、本実施形態のグローブ型マスク体１０の構成を示す。グローブ型マスク体１０は、左手用のグローブ型マスク８と、右手用のグローブ型マスク９とからなる。左手用のグローブ型マスク８と右手用のグローブ型マスク９とは、互いに略同一形状である第１シート材と第２シート材とを重ね合わせ、それらの間に中空部を形成するように前記第１シート材及び前記第２シート材の外周側縁部どうしを互いに接合することで略扁平な袋体状に構成された布接合体をそれぞれ有する。
【００２２】
使用者Ｍは、左手用のグローブ型マスク８の開口部２を介して左手を前記布接合体の中空部に挿入し、右手用グローブ型マスク９の開口部２を介して右手を前記布接合体の中空部に挿入し、両手を顔の前にかざしたかざし状態にある。右手用グローブ型マスク９の覆い部３により使用者Ｍの鼻及び口が覆われている。把持部４に挿入された親指を曲げることにより覆い部３に挿入された４本の指との協働によってグラス等を把持可能に構成されている。左手用グローブ型マスク８も同様の構成になっている。左手用グローブ型マスク８の露出部５により、使用者Ｍの左目が露出されている。同様に、右手用グローブ型マスク９の図示されない露出部により、使用者Ｍの右目が露出されている。
【００２３】
左手用グローブ型マスク８と右手用グローブ型マスク９はそれぞれ、前記布接合体を構成する前記第１シート材及び前記第２シート材のうち前記かざし状態において使用者Ｍの顔に対面する側のシート材上に、前記使用者の前記口からの呼気に含まれる飛散物の飛散を抑制する飛散抑制部を備えている。
【００２４】
グローブ型マスク体１０は、左手用のグローブ型マスク８及び前記右手用のグローブ型マスク９を互いに着脱可能に連結する連結部１１をさらに備えていてもよい。連結部１１は、例えば、左手用のグローブ型マスク８及び前記右手用のグローブ型マスク９の両方、もしくはどちらか一方に備えられたマジックテープ（登録商標）である。そのほか、例えばホックやボタンなどを用いて連結部を形成してもよい。
【００２５】
＜実施形態の効果＞
以上のように、本実施形態に係るグローブ型マスク１によれば、複数人で飲食を楽しむ時において、飛散防止のマスクとしての機能を維持しつつ、飲食時におけるグラスや食器の把持を行うことができる。すなわち、友人又は知人等と飲食を楽しむ際における、飲み物を飲むタイミングや食べ物を口に運ぶタイミングでは一種の手袋として使用し、把持部４に挿入した親指を曲げつつ、覆い部３に挿入した４本の指との協働によって、グラスや食器等を把持することができる（把持状態）。一方、飲み物を飲むタイミングや食べ物を口に運ぶタイミング以外のタイミングでは一種のマスクとして使用し、覆い部３を使用者Ｍの顔の前にかざし少なくとも口及び鼻を覆うようにする（かざし状態）。これにより、そのかざし状態で会話をしたとしても口からの飛散物の飛散を防止することができる。
【００２６】
飲食の際には、使用者Ｍがかざし状態と上記把持状態との素早い切り替えを繰り返すことで、飛散防止を図りつつ飲み物を飲む（又は食べ物を口に運ぶ）ことができ、飲食に支障をきたさない。これにより、通常のマスクを使用する場合のようにマスクが外しっぱなしになって飛散防止を全く図れなくなるのを防止し、確実な感染予防を図ることができる。
【００２７】
その他、布や紙で形成されたグローブ型マスク１を折り畳んで持ち運びハンカチのように使うこともできる。また、グローブ型マスク１は特殊な製造装置を用いなくても製造できるので、飲食店舗等がキッチンペーパーなどの裏表を貼り合わせる等の簡易的な方法で安価に大量に自主制作することが可能である。また、例えば薄手の素材を用いて製造し、グラス等をつかみやすくするなどの設計が可能である。さらに、布や紙の素材や柄などを自由にデザインすることができ、使用者の好みに合わせたファッション性を付加できる。
【００２８】
さらに、左手装着型のグローブ型マスク８においては、使用者Ｍの手のひら中央部を口の真ん前に持ってきて顔の前にかざすことで左目が露出部５の前に位置し、無理のない態勢で左目により自然な前方視界を得ることができる。
右手装着型のグローブ型マスク９においては、使用者Ｍの手のひら中央部を口の真ん前に持ってきて顔の前にかざすことで右目が露出部５の前に位置し、無理のない態勢で右目により自然な前方視界を得ることができる。
【００２９】
さらに、吊り掛け具７によって、不使用時にグローブ型マスク１を適宜の箇所に掛けておくことができる。使用前の多数のグローブ型マスク１を１箇所に束ねて吊り下げておくこともできる。
【００３０】
また、本実施形態に係るグローブ型マスク体１０は、両手に装着可能であり、飲食時に一方の手でかざし状態を行うと同時に、もう一方の手でグラス等の把持状態を行うことができる。また、両方の手でかざし状態を行うこともできる。さらに、左手装着型のグローブ型マスク８と右手装着型のグローブ型マスク９の２つを連結した状態で両手を２つのグローブ型マスク内にそれぞれ指し入れ、両手を顔の前で合わせることで、使用者の顔を幅広く覆うことができる。この結果、飛散防止の面で万全を期すことができる。
【００３１】
＜変形例＞
なお、本発明は、上記実施形態に限られるものではなく、その趣旨及び技術的思想を逸脱しない範囲内で種々の変形が可能である。以下、そのような変形例を順を追って説明する。
【００３２】
（１）飛散抑制部が吸湿部及び抗菌処理部のうち少なくとも一方を含む場合
図４に、本変形例のグローブ型マスク１の詳細構造を示す。グローブ型マスク１の布接合体を構成する第１シート材および第２シート材のうち、使用者Ｍの顔に対面する側のシート材の表面に飛散抑制部６が設けられている。この図では、左手に装着する用のグローブ型マスク１を飛散抑制部６が設けられたシート材の側から見た図になっている。
【００３３】
飛散抑制部６は吸湿部１２及び抗菌処理部１３のうち少なくとも一方を含んでいる。吸湿部１２は例えばガーゼや脱脂綿等を用いることができる。抗菌処理部１３は例えば、吸湿部１２として備えられたガーゼや脱脂綿等に抗菌成分を抗菌処理したものを用いることができる。吸湿部１２及び抗菌処理部１３は前記布接合体の顔に対面する側のシート材に接着されていてもよいが、この例では、マジックテープ（登録商標）などを用いた接合部１４により吸湿部１２及び抗菌処理部１３の少なくとも一方がシート材に着脱可能に接合されている。飛散抑制部６、吸湿部１２、抗菌処理部１３の形状や面積はこの例に限定されるものではなく、適宜変更可能である。また接合部１４の構造も適宜公知の接合方法を用いることができる。前記抗菌成分としては特に制限されないがアルコールや銀等の金属成分等を適宜使用できる。
【００３４】
飛散抑制部６が吸湿部１２及び抗菌処理部１３のうち少なくとも一方を含むことにより、飛散抑制部６をただのシート材で構成する場合よりも、飛散防止効果を向上させることができる。また、飛散抑制部６を着脱可能とすることで、飛散抑制部６が汚れた場合に容易に取り替えることができる。
【００３５】
（２）グローブ型マスクの表面にメッセージを入れる場合
グローブ型マスク１またはグローブ型マスク体１０に備えられた布接合体の生地の表面の任意の場所に、メッセージを表記することができる。例えば”食後は通常のマスクを”等と表記することで飲食後の飛沫防止行動について注意喚起を促すことができる。
【００３６】
なお、以上の説明において、外観上の寸法や大きさが「同一」「等しい」「異なる」等の記載がある場合は、当該記載は厳密な意味ではない。すなわち、それら「同一」「等しい」「異なる」とは、設計上、製造上の公差、誤差が許容され、「実質的に同一」「実質的に等しい」「実質的に異なる」という意味である。
【００３７】
また、以上既に述べた以外にも、上記実施形態や各変形例による手法を適宜組み合わせて利用しても良い。
【００３８】
その他、一々例示はしないが、本発明は、その趣旨を逸脱しない範囲内において、種々の変更が加えられて実施されるものである。
【符号の説明】
【００３９】
１                グローブ型マスク
２                開口部
３                覆い部
４                把持部
５                露出部
６                飛散抑制部
７                吊り掛け具
８                左手用のグローブ型マスク
９                右手用のグローブ型マスク
１０              グローブ型マスク体
１１              連結部
１２              吸湿処理部
１３              抗菌処理部
１４              接合部
【要約】
【課題】複数人で飲食を楽しむ時において、ウイルス等の飛散防止のマスクとしての機能を維持しつつ、飲食時におけるグラスや食器の把持を行うことができるグローブ型マスクおよびグローブ型マスク体を提供する。
【解決手段】
グローブ型マスク１は、使用者Ｍの片手を挿入するための開口部２と、前記片手の５本の指のうち親指以外の４本の指が挿入される覆い部３であって、前記覆い部３に前記４本の指が挿入されて前記使用者Ｍの顔の前にかざされるかざし状態において、前記使用者Ｍの前記顔のうち少なくとも口及び鼻を覆うように構成された、覆い部３と、被把持物を把持可能に構成された把持部４と、前記かざし状態において前記顔のうち片目を露出させるように構成された露出部５と、前記使用者Ｍの前記口からの呼気に含まれる飛散物の飛散を抑制する飛散抑制部６と、を有する。
【選択図】図１【図１】
0006918262.tif 000002
【図２】
0006918262.tif 000003
【図３】
0006918262.tif 000004
【図４】
0006918262.tif 000005